(57)【要約】      （修正有）【課題】鮮明性が高く、キサンテン染料の弱点である耐光性を向上させたインク組成物の提供。【解決手段】キサンテン染料又はその塩と式（１）で表されるアントラピリドン化合物又はその塩の２種の化合物を含有するインク組成物。2012036257.tif 000023［式中、Ｒ1はＣ１−Ｃ５アルキル基等を表し、Ｘはある特定式で表される基である。【選択図】なし【特許請求の範囲】
【請求項１】
少なくとも１種類のキサンテン染料、及び、少なくとも１種類の下記式（１）で表される化合物又はその塩の両者を、色素として含有するインク組成物。
【化１】
2012036257.tif 000020
［式（１）中、
Ｒ1は水素原子、Ｃ１−Ｃ５アルキル基、ヒドロキシＣ１−Ｃ５アルキル基、シクロヘキシル基、又はシアノＣ１−Ｃ５アルキル基を表し、
Ｘは下記式（２）で表される基である。]、
【化２】
2012036257.tif 000021
[式（２）中、
＊は２つのアミド基との結合部位をそれぞれ表し、
Ｒ2及びＲ3はそれぞれ独立に水素原子又はＣ１−Ｃ５アルキル基を表し、
Ｒ2とＲ3は結合して、これらがそれぞれ置換する２つの炭素原子と共にＣ５−Ｃ１０シクロアルキレン環を形成しても良い。]。
【請求項２】
キサンテン染料が、下記式（３）で表される染料若しくはそのカチオン位置の異性体、又はそれらの塩である、請求項１に記載のインク組成物、
【化３】
2012036257.tif 000022
［式（３）中、
Ｒ101〜Ｒ104はそれぞれ独立に、水素原子；Ｃ１−Ｃ１０アルキル基；置換基として、ヒドロキシ基、カルボキシ基及びスルホ基よりなる群から選択される基を有するＣ１−Ｃ１０アルキル基；フェニル基；置換基として、ヒドロキシ基、カルボキシ基、スルホ基、スルファモイル基、Ｃ１−Ｃ４アルキル基、Ｃ１−Ｃ４アルコキシ基及びハロゲン原子よりなる群から選択される基を有するフェニル基を表し、
Ｒ105はスルホ基、カルボキシ基、又はＣ１−Ｃ４アルコキシカルボニル基を表し、
Ｒ106は水素原子；Ｃ１−Ｃ１０アルキル基；置換基として、ヒドロキシ基、カルボキシ基及びスルホ基よりなる群から選択される基を有するＣ１−Ｃ１０アルキル基；スルホ基；カルボキシ基；スルファモイル基；カルバモイル基；又は、ハロゲン原子；を表し、
Ｒ107及びＲ108はそれぞれ独立に水素原子、又は、Ｃ１−Ｃ１０アルキル基を表し、
Ｒ109-は、ハロゲンアニオン、ヒドロキシド、酢酸アニオン、テトラフルオロホウ酸アニオン、ヘキサフルオロリン酸アニオン、硫酸アニオン、又はトルエンスルホン酸アニオンを表す。
但し、式（３）で表される染料が分子内で塩を形成するときは、Ｒ109-は存在しない。］。
【請求項３】
インク組成物中に含有する色素の総質量が、該インク組成物の総質量に対して、０．５〜２０質量％である請求項１に記載のインク組成物。
【請求項４】
Ｒ2及びＲ3がそれぞれ独立に水素原子、メチル基、又はＲ2とＲ3が結合して、これらがそれぞれ置換する２つの炭素原子と共に形成したシクロヘキシレン環である、請求項１乃至３のいずれか一項に記載のインク組成物。
【請求項５】
Ｒ1が水素原子又はメチル基である、請求項１乃至４のいずれか一項に記載のインク組成物。
【請求項６】
Ｒ1が水素原子又はメチル基、
Ｒ2及びＲ3が水素原子である、請求項１乃至５のいずれか一項に記載のインク組成物。
【請求項７】
式（３）で表される染料において、
Ｒ101が、Ｃ１−Ｃ１０アルキル基；又は、置換基として、スルホ基及びＣ１−Ｃ４アルキル基よりなる群から選択される基を有するフェニル基；であり、
Ｒ102が水素原子又はＣ１−Ｃ１０アルキル基であり、
Ｒ103が、水素原子；Ｃ１−Ｃ１０アルキル基；又は、置換基としてＣ１−Ｃ４アルキル基を有するフェニル基；であり、
Ｒ104が水素原子又はＣ１−Ｃ１０アルキル基であり、
Ｒ105がスルホ基、カルボキシ基、又はＣ１−Ｃ４アルコキシカルボニル基、
Ｒ106が水素原子又はスルホ基であり、
Ｒ107及びＲ108がそれぞれ独立に水素原子、又は、Ｃ１−Ｃ１０アルキル基であり、
Ｒ109-がハロゲンアニオンである、請求項２乃至６のいずれか一項に記載のインク組成物。
但し、式（３）で表される染料が分子内で塩を形成するときは、Ｒ109-は存在しない。
【請求項８】
キサンテン染料が、Ｃ．Ｉ．アシッドレッド２８９、又はＣ．Ｉ．アシッドレッド５２である請求項１乃至７のいずれか一項に記載のインク組成物。
【請求項９】
水溶性有機溶剤をさらに含有する請求項１乃至８のいずれか一項に記載のインク組成物。
【請求項１０】
インクジェット記録に用いる請求項１乃至９のいずれか一項に記載のインク組成物。
【請求項１１】
請求項１乃至１０のいずれか一項に記載のインク組成物の液滴を記録信号に応じて吐出させて、被記録材に付着させることにより記録を行うインクジェット記録方法。
【請求項１２】
被記録材が情報伝達用シートである請求項１１に記載のインクジェット記録方法。
【請求項１３】
情報伝達用シートが普通紙又は多孔性白色無機物を含有するインク受容層を有するシートである請求項１２に記載のインクジェット記録方法。
【請求項１４】
請求項１乃至１０のいずれか１項に記載のインク組成物により着色された着色体。
【請求項１５】
請求項１１に記載のインクジェット記録方法により着色された着色体。
【請求項１６】
請求項１乃至１０のいずれか一項に記載のインク組成物を含有する容器が装填されたインクジェットプリンタ。
【発明の詳細な説明】
【技術分野】
【０００１】
本発明は、少なくとも１種類ずつのキサンテン染料及びアントラピリドン化合物を、色素として含有するインク組成物、該インク組成物を用いる記録方法、及び該インク組成物により着色された着色体に関する。
【背景技術】
【０００２】
各種カラー記録方法の中で、その代表的方法の一つであるインクジェットプリンタによる記録方法、すなわちインクジェット記録方法は、インクの吐出方式が各種開発されている。これらは、いずれもインクの小滴を発生させ、これを種々の被記録材、例えば、紙、フィルム、布帛等に付着させ記録を行うものである。この方法は、記録ヘッドと被記録材とが直接接触しない為、音の発生がなく静かである。また小型化、高速化、カラー化が容易という特長の為、近年急速に普及しつつあり、今後とも大きな伸長が期待されている。従来、万年筆、フェルトペン等のインク及びインクジェット記録用インクとしては、色素として水溶性の染料を水性媒体に溶解したインクが使用されている。これらの水性インクにおいてはペン先やインク吐出ノズルでのインクの目詰まりを防止すべく、一般に水溶性の有機溶剤が添加されている。これらのインクにおいては、十分な濃度の記録画像を与えること、ペン先やノズルの目詰まりを生じないこと、被記録材上での乾燥性がよいこと、滲みが少ないこと、保存安定性に優れること等が要求される。また形成される記録画像には、耐水性、耐湿性、耐光性、及び耐ガス性等の各種堅牢度が求められている。
また水、溶剤や添加剤に対する高い溶解性も色素に求められる性質のひとつである。
【０００３】
これらのうちで、耐ガス性とは、空気中に存在する酸化作用を持つオゾンガス等が記録紙上、又は記録紙中で色素に作用し、記録画像を変退色させるという現象に対する耐性のことである。オゾンガスの他にも、この種の作用を持つ酸化性ガスとしては、ＮＯｘ、ＳＯｘ等が挙げられる。しかし、これらの酸化性ガスの中でも、オゾンガスがインクジェット記録画像の変退色現象を促進させる主原因物質とされており、特に耐オゾンガス性が重要視されている。写真画質が得られるインクジェット専用紙の表面には、インクの乾燥を早め、また高画質でのにじみを少なくするためにインク受容層が設けられる。このインク受容層の材質として、多孔性白色無機物等の材料を用いているものが多い。このような記録紙上で、オゾンガス等による変退色が顕著に見られる。この酸化性ガスによる変退色現象は、インクジェット記録画像に特徴的なものであるため、耐ガス性、特に耐オゾンガス性の向上は、インクジェット記録における重要な課題の１つである。
【０００４】
近年のインクジェット記録技術の発達により、記録（印刷）スピードの向上がめざましい。この理由から、オフィス環境での主用途である普通紙へのドキュメントの印刷に、電子トナーを用いたレーザープリンタと同じ様に、インクジェットプリンタを用いる動きがある。インクジェットプリンタは、記録紙の種類を選ばない；機械の価格が比較的安い；という利点があり、特にＳＯＨＯ等の小〜中規模オフィス環境での普及が進んでいる。このように普通紙への記録にインクジェットプリンタを使用する際には、記録物に求められる各種の品質の中でも、色相や画像（印字）濃度がより重視される傾向がある。
【０００５】
インクジェット記録用水溶性インクに用いられるマゼンタ色素の１つとして、キサンテン染料が知られている。この染料は優れた鮮明性、色相、及び画像濃度を有するが、耐光性の弱いことが知られている。このため、優れた鮮明性、色相、及び画像濃度を有し、さらに耐光性や耐オゾンガス性等の堅牢性を有する記録画像を与えるキサンテン染料、及びこれを含有するインク組成物を提供することは、市場要求の１つである。
キサンテン染料と他の構造式を有する染料とを配合することにより、記録画像の耐光性を向上させる提案としては、例えば特許文献１及び２に記載の発明が挙げられる。
特許文献１には、キサンテン染料の１つであるローダミン染料と、金属含有マゼンタ染料の混合物を含有するインクジェットインク調合物が開示されている。
また特許文献２には、キサンテン染料であるＣ．Ｉ．Ａｃｉｄ  Ｒｅｄ  ５２及びＣ．Ｉ．Ａｃｉｄ  Ｒｅｄ  ２８９の少なくとも一方と、特定の式で表される色材と水性媒体とを含有するインクが開示されている。
【０００６】
【特許文献１】特開２００３−２３８８７５号公報
【特許文献２】特開２００４−１８２９９６号公報
【発明の概要】
【発明が解決しようとする課題】
【０００７】
本発明は、鮮明性が高く、キサンテン染料の弱点である耐光性を向上させた記録画像を与えるインク組成物、特にはインクジェット記録に用いるインク組成物の提供を目的とする。
【課題を解決するための手段】
【０００８】
本発明者等は前記課題を解決すべく、鋭意検討の結果、キサンテン染料又はその塩と、式（１）で表されるアントラピリドン化合物又はその塩の２種の化合物を含有するインク組成物が前記課題を解決するものであることを見出し、本発明を完成させたものである。
即ち、本発明は、
１）
少なくとも１種類のキサンテン染料、及び、少なくとも１種類の下記式（１）で表される化合物又はその塩の両者を、色素として含有するインク組成物。
【０００９】
【化１】
2012036257.tif 000002
【００１０】
［式（１）中、
Ｒ1は水素原子、Ｃ１−Ｃ５アルキル基、ヒドロキシＣ１−Ｃ５アルキル基、シクロヘキシル基、又はシアノＣ１−Ｃ５アルキル基を表し、
Ｘは下記式（２）で表される基である。]、
【００１１】
【化２】
2012036257.tif 000003
【００１２】
[式（２）中、
＊は２つのアミド基との結合部位をそれぞれ表し、
Ｒ2及びＲ3はそれぞれ独立に水素原子又はＣ１−Ｃ５アルキル基を表し、
Ｒ2とＲ3は結合して、これらがそれぞれ置換する２つの炭素原子と共にＣ５−Ｃ１０シクロアルキレン環を形成しても良い。]、
【００１３】
２）
キサンテン染料が、下記式（３）で表される染料若しくはそのカチオン位置の異性体、又はそれらの塩である、前記１）に記載のインク組成物、
【００１４】
【化３】
2012036257.tif 000004
【００１５】
［式（３）中、
Ｒ101〜Ｒ104はそれぞれ独立に、水素原子；Ｃ１−Ｃ１０アルキル基；置換基として、ヒドロキシ基、カルボキシ基及びスルホ基よりなる群から選択される基を有するＣ１−Ｃ１０アルキル基；フェニル基；置換基として、ヒドロキシ基、カルボキシ基、スルホ基、スルファモイル基、Ｃ１−Ｃ４アルキル基、Ｃ１−Ｃ４アルコキシ基及びハロゲン原子よりなる群から選択される基を有するフェニル基を表し、
Ｒ105はスルホ基、カルボキシ基、又はＣ１−Ｃ４アルコキシカルボニル基を表し、
Ｒ106は水素原子；Ｃ１−Ｃ１０アルキル基；置換基として、ヒドロキシ基、カルボキシ基及びスルホ基よりなる群から選択される基を有するＣ１−Ｃ１０アルキル基；スルホ基；カルボキシ基；スルファモイル基；カルバモイル基；又は、ハロゲン原子；を表し、
Ｒ107及びＲ108はそれぞれ独立に水素原子、又は、Ｃ１−Ｃ１０アルキル基を表し、
Ｒ109-は、ハロゲンアニオン、ヒドロキシド、酢酸アニオン、テトラフルオロホウ酸アニオン、ヘキサフルオロリン酸アニオン、硫酸アニオン、又はトルエンスルホン酸アニオンを表す。
但し、式（３）で表される染料が分子内で塩を形成するときは、Ｒ109-は存在しない。］、
【００１６】
３）
インク組成物中に含有する色素の総質量が、該インク組成物の総質量に対して、０．５〜２０質量％である前記１）に記載のインク組成物、
４）
Ｒ2及びＲ3がそれぞれ独立に水素原子、メチル基、又はＲ2とＲ3が結合して、これらがそれぞれ置換する２つの炭素原子と共に形成したシクロヘキシレン環である、前記１）乃至３）のいずれか一項に記載のインク組成物、
５）
Ｒ1が水素原子又はメチル基である、前記１）乃至４）のいずれか一項に記載のインク組成物、
６）
Ｒ1が水素原子又はメチル基、
Ｒ2及びＲ3が水素原子である、前記１）乃至５）のいずれか一項に記載のインク組成物、
７）
式（３）で表される染料において、
Ｒ101が、Ｃ１−Ｃ１０アルキル基；又は、置換基として、スルホ基及びＣ１−Ｃ４アルキル基よりなる群から選択される基を有するフェニル基；であり、
Ｒ102が水素原子又はＣ１−Ｃ１０アルキル基であり、
Ｒ103が、水素原子；Ｃ１−Ｃ１０アルキル基；又は、置換基としてＣ１−Ｃ４アルキル基を有するフェニル基；であり、
Ｒ104が水素原子又はＣ１−Ｃ１０アルキル基であり、
Ｒ105がスルホ基、カルボキシ基、又はＣ１−Ｃ４アルコキシカルボニル基、
Ｒ106が水素原子又はスルホ基であり、
Ｒ107及びＲ108がそれぞれ独立に水素原子、又は、Ｃ１−Ｃ１０アルキル基であり、
Ｒ109-がハロゲンアニオンである、前記２）乃至６）のいずれか一項に記載のインク組成物、
但し、式（３）で表される染料が分子内で塩を形成するときは、Ｒ109-は存在しない、
８）
キサンテン染料が、Ｃ．Ｉ．アシッドレッド２８９、又はＣ．Ｉ．アシッドレッド５２である前記１）乃至７）のいずれか一項に記載のインク組成物、
９）
水溶性有機溶剤をさらに含有する前記１）乃至８）のいずれか一項に記載のインク組成物、
１０）
インクジェット記録に用いる前記１）乃至９）のいずれか一項に記載のインク組成物、
１１）
前記１）乃至１０）のいずれか一項に記載のインク組成物の液滴を記録信号に応じて吐出させて、被記録材に付着させることにより記録を行うインクジェット記録方法、
１２）
被記録材が情報伝達用シートである前記１１）に記載のインクジェット記録方法、
１３）
情報伝達用シートが普通紙又は多孔性白色無機物を含有するインク受容層を有するシートである前記１２）に記載のインクジェット記録方法、
１４）
前記１）乃至１０）のいずれか１項に記載のインク組成物により着色された着色体、
１５）
前記１１）に記載のインクジェット記録方法により着色された着色体、
１６）
前記１）乃至１０）のいずれか一項に記載のインク組成物を含有する容器が装填されたインクジェットプリンタ、
に関する。
【発明の効果】
【００１７】
本発明により、鮮明性が高く、キサンテン染料の弱点である耐光性を向上させた記録画像を与えるインク組成物、特にはインクジェット記録に用いるインク組成物を提供することができた。
【発明を実施するための最良の形態】
【００１８】
本発明を詳細に説明する。尚、本明細書においては特に断りがない限り、スルホン酸基及びカルボキシ基等の酸性官能基は遊離酸の形で表す。また、本発明のインク組成物に含有する式（１）で表される化合物又はその塩は、煩雑さを避けるため、「化合物又はその塩」の両者を含めて、以下「化合物」と簡略化して記載し、両者を意味するものとする。
本発明のインク組成物は水性、且つ実質的に溶液のインク組成物であり、マゼンタインク、特にインクジェット記録に用いるマゼンタインクとして好適である。
【００１９】
本発明のインク組成物に少なくとも１種類含有する、前記式（１）で表される化合物について説明する。
【００２０】
式（１）中、Ｒ1におけるＣ１−Ｃ５アルキル基としては、直鎖又は分岐鎖のものが挙げられる。その具体例としては例えば、メチル、エチル、ｎ−プロピル、ｎ−ブチル、ｎ−ペンチルといった直鎖のもの；イソプロピル、イソブチル、ｓｅｃ−ブチル、ｔｅｒｔ−ブチル、イソペンチル、ｔｅｒｔ−ペンチル、といった分岐鎖のもの；等が挙げられる。好ましい具体例としては、メチル、エチルが挙げられ、メチルが特に好ましい。
【００２１】
Ｒ1におけるヒドロキシＣ１−Ｃ５アルキル基としては、前記「Ｒ1におけるＣ１−Ｃ５アルキル基」における任意の炭素原子にヒドロキシ基が置換したものが挙げられ、同一の炭素原子に該ヒドロキシ基と窒素原子の両者が置換しないものが好ましい。具体例としては、２−ヒドロキシエチル、２−ヒドロキシプロピル、３−ヒドロキシプロピル、３−ヒドロキシブチル、４−ヒドロキシブチル等のＣ１−Ｃ５アルキル部分が直鎖のもの；１−ヒドロキシ−２−プロピル、１−ヒドロキシ−２−ブチル、１−ヒドロキシ−３−ブチル、２−ヒドロキシ−３−ペンチル、２−ヒドロキシ−１，１−ジメチルエチル等のＣ１−Ｃ５アルキル部分が分岐鎖のもの；等が挙げられる。好ましい具体例としては、２−ヒドロキシエチルが挙げられる。
【００２２】
Ｒ1におけるシアノＣ１−Ｃ５アルキル基としては、前記「Ｒ1におけるＣ１−Ｃ５アルキル基」における任意の炭素原子にシアノ基が置換したものが挙げられる。具体例としては、２−シアノエチル、２−シアノプロピル、３−シアノプロピル、３−シアノブチル、４−シアノブチル等のＣ１−Ｃ５アルキル部分が直鎖のもの；１−シアノ−２−プロピル、１−シアノ−２−ブチル、１−シアノ−３−ブチル、２−シアノ−３−ペンチル、２−シアノ−１，１−ジメチルエチル等のＣ１−Ｃ５アルキル部分が分岐鎖のもの；等が挙げられる。好ましい具体例としては、２−シアノエチルが挙げられる。
【００２３】
前記のうち、好ましいＲ1としては水素原子、又はＣ１−Ｃ５アルキル基が挙げられ、後者がより好ましい。
【００２４】
式（１）中、Ｒ2及びＲ3におけるＣ１−Ｃ５アルキル基としては、前記「Ｒ1におけるＣ１−Ｃ５アルキル基」に記載のものと、好ましいもの等を含めて同じものが挙げられる。
【００２５】
Ｒ2とＲ3が結合して形成するＣ５−Ｃ１０シクロアルキレン環としては、シクロペンチレン、シクロヘキシレン、シクロへプチレン、シクロオクチレン等が挙げられる。
炭素数の範囲としては通常Ｃ５−Ｃ１０、好ましくはＣ５−Ｃ８、より好ましくはＣ５−Ｃ７の範囲が挙げられ、特に好ましくはＣ６である。
好ましい具体例としてはシクロヘキシレンが挙げられる。
【００２６】
好ましいＲ2及びＲ3としては水素原子、メチル基又はＲ2とＲ3が結合したシクロヘキシレンが挙げられ、水素原子及びメチルがより好ましく、水素原子が特に好ましい。
【００２７】
前記式（１）で表される化合物におけるＸとして、具体的に式（２）で表される基を記載したものが下記式（１４）で表される化合物である。すなわち、前記式（１）で表される化合物と、下記式（１４）で表される化合物は同じ化合物である。
【００２８】
【化１４】
2012036257.tif 000005
【００２９】
前記式（１４）中、Ｒ1は式（１）におけるのと、またＲ2及びＲ3は式（２）におけるのと、それぞれ好ましいもの等を含めて同じ意味を表す。
【００３０】
前記式（１）（又は式（１４）、以下同様）におけるＲ1乃至Ｒ3について、好ましいもの同士を組み合わせた化合物はより好ましく、より好ましいもの同士を組み合わせたものはさらに好ましい。好ましいものとより好ましいものとの組み合わせ等についても同様である。
【００３１】
前記式（１）の化合物の塩は、無機又は有機陽イオンと形成する塩である。無機陽イオンと形成する塩としては、アルカリ金属塩等、例えばリチウム塩、ナトリウム塩、カリウム塩；又はアンモニウム塩；との塩等が好ましく挙げられる。有機陽イオンと形成する塩としては、下記式（４）で表される４級アンモニウム塩と形成する塩等が好ましく挙げられる。
【００３２】
【化４】
2012036257.tif 000006
【００３３】
式（４）中、Ｚ1乃至Ｚ4はそれぞれ独立に水素原子、アルキル基、ヒドロキシアルキル基又はヒドロキシアルコキシアルキル基を表わし、Ｚ1乃至Ｚ4の少なくともいずれか１つは水素原子以外の基である。
【００３４】
式（４）中、Ｚ1乃至Ｚ4における具体例としては、メチル、エチル、ブチル等のＣ１−Ｃ６アルキル基（好ましくはＣ１−Ｃ４アルキル基）；ヒドロキシメチル、２−ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ６アルキル基（好ましくはヒドロキシＣ１−Ｃ４アルキル基）；ヒドロキシエトキシメチル、２−ヒドロキシエトキシエチル、３−ヒドロキシエトキシプロピル、３−ヒドロキシエトキシブチル、２−ヒドロキシエトキシブチル等のヒドロキシＣ１−Ｃ６アルコキシＣ１−Ｃ６アルキル基（好ましくはヒドロキシＣ１−Ｃ４アルコキシＣ１−Ｃ４アルキル基）；等が挙げられる。
【００３５】
これらのうちより好ましいものとしては、ナトリウム、カリウム、リチウム、モノエタノールアミン、ジエタノールアミン、トリエタノールアミン、モノイソプロパノールアミン、ジイソプロパノールアミン、トリイソプロパノールアミン、アンモニウム等と形成する各塩が挙げられる。これらのうち、特に好ましいものは、リチウム、アンモニウムおよびナトリウムと形成する各塩である。
【００３６】
前記の塩の製造方法を記載する。
例えば、前記式（１）の化合物を含む反応液、ウェットケーキ、又は乾燥品を水に溶解し、これに塩化ナトリウムを加えて塩析し、析出固体を濾過分取することにより、式（１）の化合物のナトリウム塩をウェットケーキとして得ることができる。又、得られたウェットケーキを再び水に溶解後、塩酸等の鉱酸を加えてｐＨを強酸性（通常ｐＨ１以下）に調整して得られる固体を濾過分取することにより、式（１）で表される化合物の遊離酸をウェットケーキとして得ることができる。この際に、ｐＨを適宜調整することによりナトリウム塩と遊離酸の混合物を望みの比率で得ること等も可能である。更に、水中で前記の遊離酸のウェットケーキに、例えば、水酸化カリウム、水酸化リチウム、アンモニア水、前記式（４）に相当する４級アンモニウム塩等を添加して造塩することにより、各々相当するカリウム塩、リチウム塩、アンモニウム塩、４級アンモニウム塩等を得ることもできる。この際に遊離酸と、例えばナトリウム塩との混合物のウェットケーキを使用し、水酸化カリウムを添加することにより、ナトリウムとカリウムの混塩、又はナトリウム塩、カリウム塩及び遊離酸の混合物等を得ることも同様に可能である。
【００３７】
本発明の前記式（１）で示される化合物の具体例を下記表１に示すが、本発明はこれらの具体例に限定されるものではない。
なお、表１中、Ｎｏ．１１及びＮｏ．１２における「シクロヘキシレン環」は、前記式（１）において、Ｒ2とＲ3が結合して、これらがそれぞれ置換する２つの炭素原子と共に形成したシクロヘキシレン環を意味する。
【００３８】
【表１】
2012036257.tif 000007
【００３９】
以下に前記式（１）で表される化合物の製造方法を記載する。なお下記式（７）〜（１０）中に記載のＲ1〜Ｒ3は、前記式（１）におけるのと同じ意味を表す。
前記式（１）で示される化合物は、例えば次の方法により製造される。即ち、前記の特許文献３等に記載の公知の方法、又はその方法に準じて合成を行うことにより、下記式（７）の化合物が得られる。
【００４０】
【化７】
2012036257.tif 000008
【００４１】
次いで得られた前記式（７）の化合物１モルに、水酸化ナトリウム水溶液等を加えてｐＨ７の水溶液として中和した後、水；メタノール、エタノール、エチレングリコール等のアルコールやポリオール類；Ｎ，Ｎ−ジメチルホルムアミド、Ｎ，Ｎ−ジメチルアセトアミド、Ｎ−メチルピロリドン等のアミド類；等の溶媒中、下記式（８）の化合物０．５モルと３０〜１００℃で反応させることにより下記式（９）の化合物が得られる。なお、中和後の式（７）の化合物を含む水溶液はそのまま使用するよりも、乾燥させて式（７）の化合物を含む固体とした後、次の反応に使用する方が好ましい。
【００４２】
【化８】
2012036257.tif 000009
【００４３】
【化９】
2012036257.tif 000010
【００４４】
前記式（９）中、Ｚは下記式（１０）で表される基である。
【００４５】
【化１０】
2012036257.tif 000011
【００４６】
前記式（１０）中、＊は２つのアミド基との結合部位をそれぞれ表す。
【００４７】
次いで得られた前記式（９）の化合物１モルと、酢酸銅、硫酸銅、ハロゲン化銅（例えば塩化銅、ヨウ化銅等）等の銅化合物１モルとを、水；メタノール、エタノール、エチレングリコール等アルコールやポリオール類；Ｎ，Ｎ−ジメチルホルムアミド、Ｎ，Ｎ−ジメチルアセトアミド、Ｎ−メチルピロリドン等のアミド類；等の溶媒中、ｐＨ５〜９、１０〜１００℃で反応させることにより本発明のインク組成物に少なくとも１種類含有する前記式（１）のアントラピリドン化合物が得られる。
なお、この反応におけるｐＨの調整には任意の塩基が使用できるが、アルカリ金属の炭酸塩（例えば炭酸リチウム、炭酸ナトリウム、炭酸カリウム等）、アルカリ金属の水酸化物（例えば水酸化リチウム、水酸化ナトリウム、水酸化カリウム等）等が好ましく挙げられる。
【００４８】
本発明のインク組成物に少なくとも１種類含有するキサンテン染料について記載する。
キサンテン染料とは、例えば安部田貞治他著、色染社出版「解説染料化学」等に記載されているとおり、一般に下記式（５）で表される構造を有する染料を意味する。
【００４９】
【化５】
2012036257.tif 000012
【００５０】
キサンテン染料のうち、好ましいものとしては下記式（６）で表される染料が挙げられる。
【００５１】
【化６】
2012036257.tif 000013
【００５２】
式（６）中、
Ｒ201〜Ｒ204はそれぞれ独立に水素原子又は置換基を表し、
Ｒ205はスルホ基、カルボキシ基、又は、Ｃ１−Ｃ１０アルコキシカルボニル基を表し、
Ｒ206は水素原子；又は置換基を表し、
Ｒ207及びＲ208はそれぞれ独立に水素原子又は置換基を表し、
Ｒ209-はカウンターアニオンを表す。
但し、式（２）で表される染料が分子内で塩を形成するときは、Ｒ209−は存在しない。
【００５３】
式（６）で表される染料は、例えば下記式（１１）又は式（１２）で表されるように、カチオンの位置が異なる異性体を有する。本明細書において「キサンテン染料」とは、このような異性体も全て含む意味である。
【００５４】
【化１１】
2012036257.tif 000014
【００５５】
【化１２】
2012036257.tif 000015
【００５６】
式（６）で表されるキサンテン染料のうち、好ましいものとして前記式（３）で表されるキサンテン染料が挙げられる。
【００５７】
式（３）中、Ｒ101〜Ｒ104におけるＣ１−Ｃ１０アルキル基としては、直鎖又は分岐鎖のものが挙げられる。炭素数の範囲としては通常Ｃ１−Ｃ１０、好ましくはＣ１−Ｃ８、より好ましくはＣ１−Ｃ６、さらに好ましくはＣ１−Ｃ４の範囲が挙げられる。
その具体例としては例えば、メチル、エチル、ｎ−プロピル、ｎ−ブチル、ｎ−ペンチル、ｎ−ヘキシル、ｎ−オクチル、ｎ−ノニル、ｎ−デシルルといった直鎖のもの；イソプロピル、イソブチル、ｓｅｃ−ブチル、ｔｅｒｔ−ブチル、イソペンチル、ｔｅｒｔ−ペンチル、２−エチルヘキシルといった分岐鎖のもの；等が挙げられる。
具体例の中では、メチル、エチル、イソプロピル、ｎ−ブチル、イソブチル、ｓｅｃ−ブチル、ｔｅｒｔ−ブチルが好ましく挙げられ、メチル及びエチルがより好ましく、エチルが特に好ましい。
【００５８】
Ｒ101〜Ｒ104における、置換基として、ヒドロキシ基、カルボキシ基及びスルホ基よりなる群から選択される基を有するＣ１−Ｃ１０アルキル基としては、前記「Ｒ101〜Ｒ104におけるＣ１−Ｃ１０アルキル基」における任意の炭素原子が、これらの基を有するものが挙げられる。炭素数の範囲としては通常Ｃ１−Ｃ１０、好ましくはＣ１−Ｃ８、より好ましくはＣ２−Ｃ６、さらに好ましくはＣ２−Ｃ４の範囲が挙げられる。該置換基の数は通常１つ又は２つ、好ましくは１つである。置換基の位置は特に制限されないが、置換基がヒドロキシ基のときは、該ヒドロキシ基と窒素原子とが同じ炭素原子に置換しないものが好ましい。
具体例としては、２−ヒドロキシエチル、２−ヒドロキシプロピル、３−ヒドロキシプロピル、６−ヒドロキシへキシル、３−ヒドロキシオクチル等のヒドロキシ基を有するもの；カルボキシメチル、２−カルボキシエチル、３−カルボキシプロピル、６−カルボキシヘキシル、８−カルボキシオクチル等のカルボキシ基を有するもの；２−スルホエチル、３−スルホプロピル、４−スルホブチル等のスルホ基を有するもの；等が挙げられる。
好ましい具体例としては、２−ヒドロキシエチル、２−カルボキシエチル、２−スルホエチルが挙げられる。
【００５９】
Ｒ101〜Ｒ104における、置換基として、ヒドロキシ基、カルボキシ基、スルホ基、スルファモイル基、Ｃ１−Ｃ４アルキル基、Ｃ１−Ｃ４アルコキシ基及びハロゲン原子よりなる群から選択される基を有するフェニル基としては、フェニル基の任意の炭素原子に、これらの基を置換基として有するものが挙げられる。置換基の数としては通常１つ乃至５つ、好ましくは１つ乃至４つ、より好ましくは２つ又は３つが挙げられる。
置換基としてのＣ１−Ｃ４アルキル基としては、直鎖又は分岐鎖のものが挙げられ、直鎖のものが好ましい。その具体例としては、メチル、エチル、ｎ−プロピル、ｎ−ブチルといった直鎖のもの；イソプロピル、イソブチル、ｓｅｃ−ブチル、ｔｅｒｔ−ブチルといった分岐鎖のもの；が挙げられる。
置換基としてのＣ１−Ｃ４アルコキシ基としては、直鎖又は分岐鎖のものが挙げられ、直鎖のものが好ましい。その具体例としては、メトキシ、エトキシ、ｎ−プロポキシ、ｎ−ブトキシといった直鎖のもの；イソプロポキシ、イソブトキシ、ｓｅｃ−ブトキシ、ｔｅｒｔ−ブトキシといった分岐鎖のもの；が挙げられる。
置換基としてのハロゲン原子としては、フッ素原子、塩素原子、臭素原子、ヨウ素原子等が挙げられる。これらの中ではフッ素原子、塩素原子、臭素原子が好ましく挙げられる。より好ましくはフッ素原子、塩素原子が、また、さらに好ましくは塩素原子がそれぞれ挙げられる。
前記の基のフェニル基上の置換位置は特に制限されないが、式（３）中の窒素原子との結合位置を１位として、
置換基の数が３つのとき、２位、３位及び６位；又は、２位、４位及び６位；が、また、
置換基の数が２つのとき、２位及び３位；２位及び４位；２位及び５位；２位及び６位；３位及び４位；３位及び５位；が、それぞれ好ましい。
置換基の数が２つのとき、２位及び６位に置換するのがより好ましい。
具体例としては、２−ヒドロキシフェニル、３−ヒドロキシフェニル、４−ヒドロキシフェニル等のヒドロキシ基を有するもの；２−カルボキシフェニル、３−カルボキシフェニル、４−カルボキシフェニル、２，５−ジカルボキシフェニル、２，６−ジカルボキシフェニル、３，５−ジカルボキシフェニル等のカルボキシ基を有するもの；２−スルホフェニル、３−スルホフェニル、４−スルホフェニル、２，５−ジスルホフェニル、２，６−ジスルホフェニル、２，４−ジスルホフェニル等のスルホ基を有するもの；２−スルファモイルフェニル、３−スルファモイルフェニル、４−スルファモイルフェニル等のスルファモイル基を有するもの；２−メチルフェニル、３−エチルフェニル、４−メチルフェニル、２，５−ジエチルフェニル、２，６−ジメチルフェニル、２，４−ジメチルフェニル、２，４，６−トリメチルフェニル等のＣ１−Ｃ４アルキル基を有するもの；２−メトキシフェニル、３−エトキシフェニル、４−メトキシフェニル、２，５−ジエトキシフェニル等のＣ１−Ｃ４アルコキシ基を有するもの；２−クロロフェニル、３−クロロフェニル、４−クロロフェニル、３−ブロモフェニル、３−フルオロフェニル等のハロゲン原子を有するもの；３−メチル４−スルホフェニル、２，６−ジメチルスルホフェニル等の前記の群から選択される２種類以上の基を有するもの；等が挙げられる。
これらのうちでは、２−カルボキシフェニル、２，６−ジカルボキシフェニル、２−スルホフェニル、２−メチルフェニル、２，６−ジメチルフェニル、２，６−ジメチルスルホフェニルが好ましく挙げられ、２，６−ジメチルフェニル及び２，６−ジメチルスルホフェニルが特に好ましい。
【００６０】
上記のうち好ましいＲ101からＲ104としては、それぞれ独立して、水素原子；Ｃ１−Ｃ１０アルキル基；置換基として、スルホ基及びＣ１−Ｃ４アルキル基より成る群から選択される基を有するフェニル基；が好ましい。
【００６１】
Ｒ101〜Ｒ104の好ましい組み合わせとしては、Ｒ101がスルホ基及びＣ１−Ｃ４アルキル基より成る群から選択される基を有するフェニル基、Ｒ102が水素原子、Ｒ103が置換基としてＣ１−Ｃ４アルキル基を有するフェニル基、及びＲ104が水素原子の組み合わせ；又は、Ｒ101〜Ｒ104がＣ１−Ｃ１０アルキル基である組み合わせ；が挙げられる。
【００６２】
式（１）中、Ｒ105におけるＣ１−Ｃ４アルコキシカルボニル基としては、直鎖又は分岐鎖のものが挙げられ、直鎖のものが好ましい。その具体例としては、メトキシカルボニル、エトキシカルボニル、ｎ−プロポキシカルボニル、ｎ−ブトキシカルボニルといった直鎖のもの；イソプロポキシカルボニル、イソブトキシカルボニル、ｓｅｃ−ブトキシカルボニル、ｔｅｒｔ−ブトキシカルボニルといった分岐鎖のもの；が挙げられる。
【００６３】
前記のうち、Ｒ105としてはスルホ基が特に好ましい。
【００６４】
式（３）中、Ｒ106におけるＣ１−Ｃ１０アルキル基としては、前記「Ｒ101〜Ｒ104におけるＣ１−Ｃ１０アルキル基」に記載のものと、好ましいもの等を含めて同じものが挙げられる。
【００６５】
Ｒ106におけるヒドロキシ基、カルボキシ基及びスルホ基よりなる群から選択される基を有するＣ１−Ｃ１０アルキル基としては、前記「Ｒ101からＲ104における、置換基として、ヒドロキシ基、カルボキシ基及びスルホ基よりなる群から選択される基Ｃ１−Ｃ１０アルキル基」に記載のものと、好ましいもの等を含めて同じものが挙げられる。
【００６６】
Ｒ106におけるハロゲン原子としては、フッ素原子、塩素原子、臭素原子、ヨウ素原子等が挙げられる。これらの中ではフッ素原子、塩素原子、臭素原子が好ましく挙げられる。より好ましくはフッ素原子、塩素原子が、また、さらに好ましくは塩素原子がそれぞれ挙げられる。
【００６７】
上記のうち、好ましいＲ106としては、水素原子、Ｃ１−Ｃ１０アルキル基、スルホ基、カルボキシ基、及びハロゲン原子であり、特に好ましくは水素原子、又はスルホ基である。
【００６８】
式（３）中、Ｒ107及びＲ108におけるＣ１−Ｃ１０アルキル基としては、前記「Ｒ101〜Ｒ104におけるＣ１−Ｃ１０アルキル基」に記載のものと、好ましいもの等を含めて同じものが挙げられる。
【００６９】
前記のうち、Ｒ107及びＲ108としては水素原子が特に好ましい。
【００７０】
式（３）中、Ｒ109-は、キサンテン染料におけるカチオンの電荷（すなわち、該式（３）中に記載の「＋」電荷）に対するカウンターアニオンを意味する。キサンテン染料中にスルホ基程度の強酸性の基が存在するときは、該染料分子内で塩を形成することができるため、Ｒ109-で表されるカウンターアニオンを必要としない。この理由から、式（３）で表される染料が分子内で塩を形成するときは、Ｒ109-は存在しない。
【００７１】
Ｒ109-におけるハロゲンアニオンとしては、フルオリド、クロリド、ブロミド、ヨーダイド等が挙げられ、これらの中ではクロリド（Ｃｌ−）が特に好ましい。
【００７２】
Ｒ109-における、ヒドロキシド、酢酸アニオン、テトラフルオロホウサンアニオン、ヘキサフルオロリン酸アニオン、硫酸アニオン、及びトルエンスルホン酸アニオンは、それぞれ「ＯＨ−」、「ＣＨ３ＣＯＯ−」、「ＢＦ４−」、「ＰＦ６−」、「ＨＳＯ４−」、及び「ＣＨ３Ｃ６Ｈ４ＳＯ３−」を意味する。これらのうち、トルエンスルホン酸アニオンについては、ベンゼン環上のメチル基の置換位置が、スルホン酸アニオンの置換位置に対してオルト、メタ、又はパラである異性体が存在するが、これら全ての異性体を含む。
【００７３】
前記のうち、Ｒ109-としてはハロゲンアニオンが好ましく挙げられる。
また、式（３）で表される染料としては、Ｒ109-が存在するものよりも存在しないもの、すなわち、分子内で塩を形成するものの方がより好ましい。
【００７４】
前記式（３）におけるＲ101乃至Ｒ109-として記載したもののうち、好ましいもの同士を組み合わせた染料はより好ましく、より好ましいもの同士を組み合わせた染料はさらに好ましい。さらに好ましいもの同士の組み合わせ、また、好ましいものとより好ましいものとの組み合わせ等についても同様である。
【００７５】
式（３）で表される染料の特に好ましいものとして、Ｃ．Ｉ．アシッドレッド２８９及びＣ．Ｉ．アシッドレッド５２が挙げられる。これらの中でも鮮明性、色相及び耐オゾン性の面でいえば、前者が特に好ましい。
Ｃ．Ｉ．アシッドレッド２８９は、下記表１０１におけるＮｏ．１０８及びＮｏ．１０９の染料（の１ナトリウム塩）の混合物であること；また、Ｃ．Ｉ．アシッドレッド５２は、同様にＮｏ．１０７の染料（の１ナトリウム塩）であること；が知られている。
【００７６】
キサンテン染料の具体例を下記表２に示すが、本発明で使用可能なキサンテン染料は、これらの具体例に限定されるものではない。また、便宜上、カルボキシ基やスルホ基等の酸性官能基は、遊離酸の形で記載した。
表２中、Ｎｏ．１０６乃至Ｎｏ．１０９の染料は、分子内で塩を形成しているため、Ｒ109-は存在しない。これらの染料は、一般的にＲ105のスルホ基が「ＳＯ３−」の形でアニオンとなることにより、分子内で塩を形成しているとされる。
なお、表２中で使用した略号は、以下の意味である。
Ｅｔ：エチル。
ＤＭ−３Ｓ−Ｐｈ：２，６−ジメチル−３−スルホフェニル。
ＤＭ−４Ｓ−Ｐｈ：２，６−ジメチル−４−スルホフェニル。
Ｈ：水素原子。
ＤＭ−Ｐｈ：２，６−ジメチルフェニル。
Ｍｅ：メチル。
【００７７】
【表２】
2012036257.tif 000016
【００７８】
前記のキサンテン染料は、公知の方法（例えば細田豊著、技報堂出版「理論製造染料化学」３７３〜３７５頁及び７８８〜７９１頁に記載の方法）又は公知の方法に準じて合成することができる。また、市販品として入手できる染料も多数存在する。
【００７９】
前記のキサンテン染料は、分子内に存在するカチオンの電荷を使用した塩以外に、さらに塩を形成することもできる。
例えば、前記表１のＮｏ．１０４及びＮｏ．１０５に示した染料は、Ｒ105としてカルボキシ基を有するため、この基を塩とすることが可能である。
また、表１のＮｏ．１０６及びＮｏ．１０７に示した染料は、Ｒ106としてスルホ基を有するため、同様にこの基を塩とすることが可能である。
このような塩としては、無機又は有機の陽イオンとの塩が挙げられる。無機陽イオンの塩の具体例としてはアンモニウム（ＮＨ4+）；アルカリ金属、例えばリチウム、ナトリウム、カリウム等の各陽イオン；等が挙げられる。また、有機の陽イオンとしては、例えば前記式（４）で表される４級アンモニウムが挙げられるがこれらに限定されるものではない。
【００８０】
前記塩のうち好ましいものは、ナトリウム、カリウム、リチウム、モノエタノールアミン、ジエタノールアミン、トリエタノールアミン、モノイソプロパノールアミン、ジイソプロパノールアミン、トリイソプロパノールアミンの塩、及びアンモニウム塩等が挙げられる。これらのうち、特に好ましいものは、リチウム、ナトリウム、カリウム及びアンモニウム塩である。
これらの塩は、いずれも公知の方法、それに準じた方法、或いは前記式（１）の化合物の塩の製造方法に準じて容易に望みの塩を合成することができる。
従って、本発明のインク組成物に少なくとも１種類含有するキサンテン染料も、前記分子内に存在するカチオンの電荷を使用した塩以外に形成することが可能な、式（６）又は式（３）で表されるキサンテン染料又はそれらの塩の両者を含むものである。これらについても便宜上、「染料又はその塩」の両者を含めて「染料」と簡略化して記載し、両者を含む意味を有するものとする。
【００８１】
該化合物の塩は、その塩の種類により溶解性等の物理的な性質、あるいはインクとして用いた場合のインクの性能、特に堅牢性に関する性能が変化する場合もある。このため目的とするインク性能等に応じて塩の種類を選択することも好ましく行われる。
【００８２】
本発明のインク組成物に含有する前記式（１）で表される化合物及びキサンテン染料は、その合成反応における最終工程の終了後、塩酸等の鉱酸の添加により固体の遊離酸として単離することができる。また、得られた遊離酸の固体を水、又は、例えば塩酸水等の酸性水で洗浄すること等により、不純物として含有する無機塩、例えば塩化ナトリウム等の金属陽イオンの塩化物；硫酸ナトリウム等の硫酸陽イオンのアルカリ金属塩；等、すなわち、本明細書でいうところの「無機不純物」を除去することができる。
これらの無機不純物は、本発明のインク組成物を調製する場合に、インク組成物の保存安定性や、該インク組成物をインクとして使用するインクジェット記録等を行う際の吐出安定性等に悪影響を与えることが多い。このため、本発明のインク組成物中に含有する色素の総質量中における無機不純物の含有量は、該色素の総質量に対して、１質量％以下にすることが好ましく、下限は０質量％、すなわち分析機器における検出限界以下でもよい。
無機不純物の少ない色素を製造する方法としては、例えば逆浸透膜による精製方法；色素化合物の乾燥物又はウェットケーキを水に溶解し、メタノール等のＣ１−Ｃ４アルコールの添加により晶析する方法；色素化合物の乾燥物又はウェットケーキをメタノール等のＣ１−Ｃ４アルコール及び水の混合溶媒中に加えて懸濁精製する方法：又は、陰及び陽イオン交換樹脂を適宜用いる公知の方法：等の各種の方法が挙げられる。
【００８３】
本発明のインク組成物は、少なくとも一種類の前記式（１）で表される化合物、及び、少なくとも一種類のキサンテン染料の両者を、色素として含有するものである。
式（１）で表される化合物、及びキサンテン染料は、それぞれ単一の化合物として；いずれか一方が単一、他方が複数である混合物として；又は、それぞれが複数である混合物として；本発明のインク組成物に含有しても良い。このうち、式（１）で表される化合物については、単一の化合物として含有するのが好ましい。
【００８４】
本発明のインク組成物中に含有する色素の総質量は、該インク組成物の総質量に対して、通常０．５〜２０質量％、好ましくは１〜１０質量％、より好ましくは１．５〜６質量％、さらに好ましくは３〜６質量％含有するのが良い。
後記するように、マゼンタの色相を好みの色相に微調整すること等を目的として、本発明のインク組成物中に、本発明により得られる効果を阻害しない範囲で、さらに公知の色素を含有しても良い。しかし、本発明のインク組成物中に含有する色素としては、色素の全てが実質的にキサンテン染料及び前記式（１）で表される化合物の両者であるのが好ましい。
【００８５】
本発明のインク組成物中に含有する、キサンテン染料の総質量と、式（１）で表される化合物の総質量との質量比は通常１／２０から１０／１、好ましくは１／１５から５／１、より好ましくは１／１０から２／１、特に好ましくは１／９から１／１である。
【００８６】
本発明のインク組成物は水を媒体として調製され、必要に応じて、水溶性有機溶剤及びインク調製剤を、本発明の効果を害しない範囲内において含有しても良い。水溶性有機溶剤は、染料の溶解、乾燥の防止（湿潤状態の保持）、粘度の調整、浸透の促進、表面張力の調整、消泡等の効果を期待して使用され、本発明のインク組成物には含有する方が好ましい。その他のインク調製剤としては、例えば、防腐防黴剤、ｐＨ調整剤、キレート試薬、防錆剤、紫外線吸収剤、粘度調整剤、染料溶解剤、褪色防止剤、表面張力調整剤、消泡剤等の公知の添加剤が挙げられる。
水溶性有機溶剤の含有量はインクの総質量に対して０〜６０質量％、好ましくは１０〜５０質量％であり、インク調製剤は同様に０〜２０質量％、好ましくは０〜１５質量％用いる。前記以外の残部は水である。
【００８７】
前記の水溶性有機溶剤としては、例えばメタノール、エタノール、ｎ−プロパノール、イソプロパノール、ｎ−ブタノール、イソブタノール、第二ブタノール、第三ブタノール等のＣ１−Ｃ４アルカノール（アルコール）；Ｎ，Ｎ−ジメチルホルムアミド又はＮ，Ｎ−ジメチルアセトアミド等のアミド類；２−ピロリドン、Ｎ−メチル−２−ピロリドン、ヒドロキシエチル−２−ピロリドン、１，３−ジメチルイミダゾリジン−２−オン又は１，３−ジメチルヘキサヒドロピリミド−２−オン等の複素環式ケトン；アセトン、メチルエチルケトン、２−メチル−２−ヒドロキシペンタン−４−オン等のケトン又はケトアルコール；テトラヒドロフラン、ジオキサン等の環状エーテル；エチレングリコール、１，２−又は１，３−プロピレングリコール、１，２−又は１，４−ブチレングリコール、１，６−ヘキシレングリコール、ジエチレングリコール、トリエチレングリコール、テトラエチレングリコール、ジプロピレングリコール、ポリエチレングリコール、ポリプロピレングリコール、又はチオジグリコール等のＣ２−Ｃ６アルキレン単位を有するモノ、オリゴ又はポリアルキレングリコール又はチオグリコール；グリセリン、ヘキサン−１，２，６−トリオール等のポリオール（トリオール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル等の多価アルコールのＣ１−Ｃ４モノアルキルエーテル；γ−ブチロラクトン；又はジメチルスルホキシド；等が挙げられる。
【００８８】
前記の水溶性有機溶剤として好ましいものは、イソプロパノール、グリセリン、モノ、ジ又はトリエチレングリコール、ジプロピレングリコール、２−ピロリドン、Ｎ−メチル−２−ピロリドン及びブチルカルビトールであり、より好ましくはイソプロパノール、グリセリン、ジエチレングリコール、２−ピロリドン、Ｎ−メチル−２−ピロリドン及びブチルカルビトールである。これらの水溶性有機溶剤は、単独又は混合して用いられる。
【００８９】
防腐防黴剤としては、例えば、有機硫黄系、有機窒素硫黄系、有機ハロゲン系、ハロアリールスルホン系、ヨードプロパギル系、Ｎ−ハロアルキルチオ系、ベンゾチアゾール系、ニトリル系、ピリジン系、８−オキシキノリン系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、及び無機塩系等の化合物が挙げられる。
有機ハロゲン系化合物としては、例えばペンタクロロフェノールナトリウムが挙げられる。
ピリジンオキシド系化合物としては、例えば２−ピリジンチオール−１−オキサイドナトリウムが挙げられる。
イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。
その他の防腐防黴剤としてソルビン酸ナトリウム、酢酸ナトリウム及び安息香酸ナトリウム等が挙げられる。
防腐防黴剤の他の具体例としては、例えば、アーチ・ケミカルズ・ジャパン株式会社製  商品名プロクセルRTMＧＸＬ（Ｓ）及びプロクセルRTMＸＬ−２（Ｓ）等が好ましく挙げられる。なお、本明細書において上付きの「ＲＴＭ」は、登録商標を意味する。
【００９０】
ｐＨ調整剤は、インクの保存安定性を向上させる目的で、インクのｐＨを６．０〜１１．０の範囲に制御できるものであれば任意の物質を使用することができる。例えば、ジエタノールアミン、トリエタノールアミン等のアルカノールアミン、水酸化リチウム、水酸化ナトリウム、水酸化カリウム等のアルカリ金属の水酸化物、水酸化アンモニウム、あるいは炭酸リチウム、炭酸ナトリウム、炭酸カリウム等のアルカリ金属の炭酸塩等が挙げられる。
【００９１】
キレート試薬としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００９２】
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００９３】
紫外線吸収剤としては、例えばベンゾフェノン系化合物、ベンゾトリアゾール系化合物、桂皮酸系化合物、トリアジン系化合物、スチルベン系化合物が挙げられる。また、ベンズオキサゾール系化合物に代表される紫外線を吸収して蛍光を発する化合物、いわゆる蛍光増白剤も用いることができる。
【００９４】
粘度調整剤としては、水溶性有機溶剤の他に、水溶性高分子化合物が挙げられ、例えばポリビニルアルコール、セルロース誘導体、ポリアミン、ポリイミン等が挙げられる。
【００９５】
染料溶解剤としては、例えば尿素、ε−カプロラクタム、エチレンカーボネート等が挙げられる。尿素を使用するのが好ましい。
【００９６】
褪色防止剤は、画像の保存性を向上させる目的で使用される。褪色防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、及びヘテロ環類等が挙げられ、金属錯体としてはニッケル錯体、及び亜鉛錯体等が挙げられる。
【００９７】
表面張力調整剤としては、界面活性剤があげられ、例えばアニオン界面活性剤、両性界面活性剤、カチオン界面活性剤、及びノニオン界面活性剤等が挙げられる。
【００９８】
アニオン界面活性剤としてはアルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩、ジオクチルスルホ琥珀酸塩等が挙げられる。
【００９９】
カチオン界面活性剤としては２−ビニルピリジン誘導体、ポリ４−ビニルピリジン誘導体等が挙げられる。
【０１００】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。
【０１０１】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；他の具体例として、例えば、日信化学社製、商品名サーフィノールRTM１０４、同８２、同４６５、オルフィンRTMＳＴＧ；等が挙げられる。
【０１０２】
消泡剤としては、高酸化油系、グリセリン脂肪酸エステル系、フッ素系、シリコーン系化合物が必要に応じて用いられる。
【０１０３】
これらのインク調製剤は、単独又は混合して用いられる。なお、本発明のインク組成物を含有するインクの表面張力は通常２５〜７０ｍＮ／ｍ、より好ましくは２５〜６０ｍＮ／ｍである。同様に、インクの粘度は３０ｍＰａ・ｓ以下が好ましく、２０ｍＰａ・ｓ以下に調整することがより好ましい。
【０１０４】
本発明のインク組成物を製造するにあたり、添加剤等の各成分を溶解させる順序には特に制限はない。インク組成物を調製するにあたり、用いる水はイオン交換水又は蒸留水等、不純物が少ない物が好ましい。
さらに、必要に応じメンブランフィルター等を用いて精密濾過を行ってインク組成物より夾雑物を除いてもよい。インクジェットプリンタ用のインクとして使用するときは精密濾過を行うことが好ましい。精密濾過を行うフィルターの孔径は通常１μｍ〜０．１μｍ、好ましくは、０．８μｍ〜０．１μｍである。
【０１０５】
より高精細なインクジェット記録画像を提供することを目的とし、染料濃度が高濃度及び低濃度である２種類の同系色のインクをインクセットとしてインクジェット記録に用いることもある。その場合、染料濃度が高濃度のものは例えばマゼンタインク、低濃度のものはライトマゼンタインク等と呼称される。このような際には、染料濃度が異なる本発明のインク組成物を２種類調製し、それらをインクセットとして使用してもよい。またどちらか一方だけに本発明のインク組成物を使用してもよい。
また他の色、例えばブラックインクの調色用、あるいはイエロー色素やシアン色素と混合して、レッドインクやブルー（又はバイオレット）インクを調製する目的で、本発明のインク組成物を用いることもできる。
【０１０６】
本発明のインクジェット記録方法は、本発明のインク組成物を含有する容器をインクジェットプリンタの所定の位置に装填し、該インク組成物の液滴を記録信号に応じて吐出させて、被記録材に付着させることにより記録を行う方法である。
本発明のインクジェット記録方法は、本発明のインク組成物と共に、イエロー、シアン、必要に応じて、グリーン、ブルー（又はバイオレット）、レッド、及びブラック等の各インクを併用し、フルカラーの記録画像を再現することもできる。この場合、各色のインクは、それぞれの容器に含有され、それらの容器を、インクジェットプリンタの所定の位置に装填して使用すればよい。
インクジェットプリンタには、例えば機械的振動を利用したピエゾ方式；及び加熱により生ずる泡を利用したバブルジェット（登録商標）方式；等を利用したものがある。本発明のインクジェット記録方法は、いかなる方式であっても使用が可能である。
【０１０７】
前記の被記録材としては、例えば紙、フィルム等の情報伝達用シート、繊維や布（セルロース、ナイロン、羊毛等）、皮革、カラーフィルター用基材等が挙げられる。これらの中では情報伝達用シートが好ましい。
【０１０８】
前記の情報伝達用シートとしては、特に制限はなく、普通紙はもちろん、表面処理されたもの、具体的には紙、合成紙、フィルム等の基材にインク受容層を設けたもの等も用いることができる。ここでインク受容層とは、例えば前記基材にカチオン系ポリマーを含浸あるいは塗工する方法；又は多孔質シリカ、アルミナゾルや特殊セラミックス等のインク中の色素を吸収し得る無機微粒子をポリビニルアルコールやポリビニルピロリドン等の親水性ポリマーと共に前記基材表面に塗工する方法；等により設けられる。このようなインク受容層を設けたものは通常インクジェット専用紙、インクジェット専用フィルム、光沢紙、又は光沢フィルム等と呼ばれる。その市販品としては、例えば、セイコーエプソン社製、商品名：写真用紙クリスピアRTM（高光沢）；ブラザー工業社製、商品名：写真光沢紙ＢＰ７１Ｇ；等が挙げられる。
普通紙とは、特にインク受容層を設けていない紙のことを意味し、用途によってさまざまなものが数多く市販されている。市販されている普通紙の一例を挙げると、インクジェット用としては、セイコーエプソン社製  両面上質普通紙；キヤノン社製  カラー普通紙；Ｈｅｗｌｅｔｔ  Ｐａｃｋａｒｄ社製  Ｍｕｌｔｉｐｕｒｐｏｓｅ  Ｐａｐｅｒ、Ａｌｌ−ｉｎ−ｏｎｅ  Ｐｒｉｎｔｉｎｇ  Ｐａｐｅｒ；等がある。この他、特に用途をインクジェット印刷に限定しないＰＰＣ用紙等も普通紙である。
【０１０９】
本発明の着色体とは、本発明のインク組成物で着色された物質を意味する。着色体の材質に特に制限はないが、例えば前記の被記録材等が好ましく挙げられる。着色方法としては、例えば浸染法、捺染法、スクリーン印刷等の印刷法、インクジェット記録による方法等が挙げられる。これらの中ではインクジェット記録方法が好ましく、本発明のインクジェット記録方法により着色された着色体が特に好ましい。
【０１１０】
本発明のインク組成物は印捺、複写、マーキング、筆記、製図、スタンピング、又は記録（印刷）、特にインクジェット記録における使用に適する。また本発明のインク組成物は、長期間保存後の固体析出、物性変化、色相変化等もなく、貯蔵安定性が極めて良好である。本発明のインク組成物をインクジェット記録用のインクとして使用した印刷物は被記録材（例えば紙、フィルム等）を選択することなくマゼンタ色の色相として理想的な色相であり、写真調のカラー画像を紙の上に忠実に再現させることも可能である。
さらに本発明のインク組成物は、普通紙上においても発色性、及び鮮明性が高い。また、写真調の記録画像を得るために用いるインクジェット専用紙やフィルムのような、多孔性白色無機物を表面に塗工した被記録材に記録しても各種堅牢性、すなわち耐水性、耐湿性、耐オゾンガス性等の耐ガス性、及び、特に耐光性が良好であり、写真調の記録画像の長期保存安定性にも優れている。このため、被記録材を選ばないことが特徴の一つであるインクジェット記録に好適である。また、本発明のインク組成物をインクジェット記録に使用したとき、ノズル付近におけるインク組成物の乾燥による固体の析出は非常に起こりにくく、噴射器（インクヘッド）を閉塞することもない。
このように、本発明のインク組成物はインク用、特にインクジェット記録用インクとして極めて有用である。
【実施例】
【０１１１】
以下、実施例により本発明を更に具体的に説明する。尚、本文中「部」及び「％」とあるのは、特別の記載のない限り質量基準である。実施例中の反応及び晶析等の操作については、特に断りのない限りいずれも攪拌下に行った。また、実施例に記載した化合物のうち、最大吸収波長（λｍａｘ）の測定は、いずれも水溶液中で行った。
【０１１２】
［実施例１］
（工程１）
水７０部に特許文献３記載の方法を追試することによって得た下記式（１３）の化合物のウェットケーキ９７．５部（ジアゾ化値分析による純度４５．９％）を加え、さらに２５％水酸化ナトリウム水溶液を加えることによりｐＨ７の水溶液を得た。得られた水溶液を８０℃の熱風乾燥機で乾燥させ、式（１３）の化合物を含有する固体を得た。
【０１１３】
【化１３】
2012036257.tif 000017
【０１１４】
（工程２）
Ｎ−メチルピロリドン３２０部に、実施例１（工程１）で得た式（１３）の化合物の全量及びエチレンジアミンテトラ酢酸２無水物７．８部を加え、７５〜８５℃に加熱して６時間反応させた。得られた反応液を濾過することにより不溶物を除去し、濾液に２−プロパノール４００部を加えて析出した固体を濾過分取した。得られた固体を２−プロパノール１２０部で懸濁精製することにより、前記式（９）におけるＲ1がメチル、Ｚが式（１０）で表される基であり、該式（１０）中のＲ2及びＲ3が水素原子で表される化合物のウェットケーキ２２０部を得た。
【０１１５】
（工程３）
水３００部に実施例１（工程２）で得た式（９）の化合物のウェットケーキ２２０部及び酢酸銅（ＩＩ）１水和物６．６部を加えて溶液とした後、１５％炭酸ナトリウム水溶液を適宜加えて反応液のｐＨを６．５〜７．５に保持しながら、室温で１０時間反応させた。得られた反応液に、メタノール３００部及び２−プロパノール３００部を加えて析出した固体を濾過分取し、ウェットケーキを得た。得られたウェットケーキをイオン交換水３００部に加えて溶液とし、ここに陰イオン交換樹脂ダイアイオンRTMＳＡ１０ＡＯＨ７５部及び陽イオン交換樹脂ダイアイオンRTMＳＫ１ＢＨ２６部（共に三菱化学社製）を適宜添加して、液のｐＨを６〜８に保持しながら、液温２０〜３０℃で２時間撹拌することにより脱塩を行なった。得られた液を濾過することによりイオン交換樹脂を除去した後、濾液にエタノール４００部及び２−プロパノール８００部を加えて１５時間撹拌した。この液から析出した固体を濾過分取し、乾燥することにより、前記式（１）におけるＲ1がメチル、Ｘが式（２）で表される基であり、該式（２）中のＲ2及びＲ3が水素原子で表される本発明の化合物４７．８部を得た。
λｍａｘ：５１３ｎｍ。
【０１１６】
［実施例２〜３］
（Ａ）インクの調製
キサンテン染料としてＣ．Ｉ．アシッドレッド２８９、また、式（１）で表される化合物として実施例１で得られた化合物の両者を色素として用い、下記表３で示した各成分を配合してインク組成物を調整し、さらに０．４５μｍのメンブランフィルターで濾過することにより、評価用のインクジェットインクを得た。インクの調製に際し、水としてはイオン交換水を使用した。尚、インク組成物のｐＨが８〜１０になるように２５％水酸化ナトリウム水溶液で調整し、総量１００部になるように水を加えた。このｐＨ及び加えた水の総量を、下記表３中では「ａｑ．ＮａＯＨ」と省略して記載した。
前記のようにして２種類の色素の配合比率を変えた２種類のインクを調整し、それぞれ実施例２及び実施例３とした。
また、下記表３中で使用した略号等は、以下の意味を表す。
ＡＲ２８９：Ｃ．Ｉ．アシッドレッド２８９。
ＮＭＰ：Ｎ−メチル−２−ピロリドン。
ＩＰＡ：イソプロパノール。
ＢｕＣｔ：ブチルカルビトール。
ＥＤＴＡ・２Ｎａ：エチレンジアミンテトラ酢酸２ナトリウム。
なお、下記表３中、「界面活性剤」としては、日信化学社製の商品名サーフィノールRTM１０４ＰＧ５０を使用した。
【０１１７】
【表３】
2012036257.tif 000018
【０１１８】
（Ｂ）インクジェット記録
各実施例で調製したインクを用い、インクジェットプリンタ（キヤノン社製、商品名：ＰｉｘｕｓRTMｉＰ４５００）により、下記２種類の被記録材（光沢紙１及び光沢紙２）にインクジェット記録を行った。
【０１１９】
光沢紙１：
セイコーエプソン社製、商品名：写真用紙クリスピアRTM（高光沢）。
光沢紙２：
ブラザー工業社製、商品名：写真光沢紙ＢＰ７１Ｇ。
【０１２０】
インクジェット記録の際、１００、８５、７０、５５、４０、２５％の階調が得られるように画像パターンを作り記録物を得た。得られた記録物を試験片とし、下記するキセノン耐光試験を行った。キセノン耐光試験における反射濃度の測定は、各試験片の７０％階調部分について行った。また、反射濃度は測色システム（商品名ＳｐｅｃｔｒｏＥｙｅRTM、Ｘ−ｒｉｇｈｔ社製）を用いて測色した。測色は、濃度基準にＤＩＮ、視野角２度、光源Ｄ６５の条件で行なった。
記録画像の各種試験方法を以下に記載する。
【０１２１】
［（Ｃ）キセノン耐光性試験］
各試験片をホルダ−に設置して、キセノンウェザオメータＸＬ７５［スガ試験機（株）社製］を用い、温度２４℃、湿度６０％ＲＨ、１００ｋｌｕｘ照度で１６８時間照射した。試験前後の各試験片の反射濃度を上記測色システムにより測色し、色素残存率を（試験後の反射濃度／試験前の反射濃度）×１００（％）で計算して求めた。結果を下記表４に示す。
【０１２２】
［（Ｄ）鮮明性の評価試験］
各試験片の１００％階調部分について反射濃度の測定を行った。
鮮明性（Ｃ＊）は、色度（ａ＊、ｂ＊）から、Ｃ＊＝［（ａ＊）2＋（ｂ＊）2］1/2として算出した。
算出したＣ＊値の結果を下記表４に示す。なお、Ｃ＊値は大きいほど鮮明性に優れる。
【０１２３】
【表４】
2012036257.tif 000019
【０１２４】
表４の結果より明らかなように、少なくとも１種類のキサンテン染料及び少なくとも１種類の前記式（１）で表される化合物を色素として含有する各実施例のインクは、高い鮮明性と耐光性を示した。
【産業上の利用可能性】
【０１２５】
鮮明性が高く、耐光性にも優れた本発明のインク組成物は、各種の記録用、特にインクジェット記録用インクとして極めて有用である。